(57)【要約】【課題】浴室の天井や壁面に設置され、浴室を暖めるために暖房運転している際に人が浴室に入ると、直接吹出し風が当たり肌寒く感じるという浴室暖房装置において、人検出手段により人を検出し、自動で浴室暖房装置の吹出し風の方向を入室した人に直接当たらないように変更することができる浴室暖房装置を提供することを目的とする。【解決手段】浴室暖房装置１は浴室内空気を循環させる循環ファン２と、循環ファン２によって吸込まれた浴室内空気に熱を与えるＰＴＣヒータ３と、ＰＴＣヒータ３によって暖められた空気の吹出し方向を決める風向板４と、風向板４を稼動させるステッピングモータ５と、人の存在を検知する人感センサ６とを備え、人感センサ６の検知の有無により風向板４の角度を変更することにより、自動で浴室暖房装置の吹出し風の方向を入室した人に直接当たらないように変更することができる浴室暖房装置を得られる。【選択図】図１
2007232297.tif 000002
【特許請求の範囲】
【請求項１】
浴室内の空気を循環させる循環手段と、前記循環手段によって吸込まれた浴室内空気に熱を与える熱供給手段と、前記熱供給手段によって暖められた空気の吹出し方向を決める風向板と、前記風向板を稼動させる稼動手段と、人の存在を検知する人検知手段とを備えた浴室暖房装置であって、前記人検出手段の検知結果をもとに、前記稼動手段により前記風向板を稼動させることにより、前記循環手段から出る吹出し風の方向を制御することを特徴とする浴室暖房装置。
【請求項２】
暖房運転中に前記人検出手段が人を検知すると、前記稼動手段により前記風向板を稼動させることにより、前記循環手段から出る吹出し風の方向を制御することを特徴とする請求項１記載の浴室暖房装置。
【請求項３】
循環手段から出る吹出し風の方向が、被検知人に直接当たらない方向であることを特徴とする請求項１または２記載の浴室暖房装置。
【請求項４】
浴室の天井に設置され、暖房運転中に前記人検出手段が人を検知すると、前記循環手段からでる吹出し風が天井沿いに吹くように、前記稼動手段により前記風向板を稼動させることを特徴とする請求項１〜３いずれかに記載の浴室暖房装置。
【請求項５】
浴室の壁面に設置され、暖房運転中に前記人検出手段が人を検知すると、前記循環手段からでる吹出し風が壁面沿いに吹くように、前記稼動手段により前記風向板を稼動させることを特徴とする請求項１〜４いずれかに記載の浴室暖房装置。
【請求項６】
人検知手段は少なくとも二つ以上であり、少なくとも一つ以上の検知結果をもとに、循環手段から出る吹出し風の方向を制御することを特徴とする請求項１〜５いずれかに記載の浴室暖房装置。
【請求項７】
請求項６記載の人検出手段において、前記人検出手段の各検知範囲が重複しないことを特徴とする浴室暖房装置。
【請求項８】
循環手段からでる吹出し風が、前記人検出手段において人を検知しなかった他の人検知手段の検知範囲へ吹くようにしたことを特徴とする請求項６または７記載の浴室暖房装置。
【請求項９】
人検出手段が人を検知しなくなった後、一定時間経つと、前記循環手段から出る吹出し風の方向を、前記人検知手段が人を検知する直前の状態へ戻すことを特徴とする請求項１〜８いずれかに記載の浴室暖房装置。
【請求項１０】
一定時間を使用者が変更できることを特徴とする請求項９記載の浴室暖房装置。
【請求項１１】
人検知手段に可動部を設け、可動部を動かすことにより、前記人検知手段の検知範囲を使用者が変更することができるようにした請求項１〜１０いずれかに記載の浴室暖房装置。
【請求項１２】
循環手段から出る吹出し風の方向の制御を、使用者が停止することが可能であるようにしたことを特徴とする請求項１〜１１いずれかに記載の浴室暖房装置。
【請求項１３】
請求項１２記載の停止が一定時間であることを特徴とする浴室暖房装置。
【請求項１４】
請求項１３記載の一定時間を使用者が変更できるようにしたことを特徴とする浴室暖房装置。
【発明の詳細な説明】
【技術分野】
【０００１】
本発明は、浴室の天井又は側壁に設置し、浴室内の暖房を行う浴室暖房装置に関する。
【背景技術】
【０００２】
従来、この種の浴室暖房装置は、下記に記載されたものが知られている（例えば特許文献１）。
【０００３】
以下、その浴室暖房装置について図９を参照しながら説明する。
【０００４】
浴室暖房乾装置１００は、浴室の天井または壁面に設置され、吸込み口１０１より吸込んだ浴室内空気を送風機１０２により熱交換器１０３を介して吹出し口１０４を通して浴室側へ送風することにより、浴室内を暖めるものである。
【特許文献１】特開平７−１７１２９９号公報
【発明の開示】
【発明が解決しようとする課題】
【０００５】
このような従来の浴室暖房装置では、暖房運転中に人が浴室に入ると、吹出し風が直接当たり肌寒く感じるという課題があり、浴室に居る人へ直接吹出し風が当たらなくすることが要求されている。
【０００６】
本発明は、このような従来の課題を解決するものであり、浴室に人が居るかどうかを検出し、自動で浴室暖房装置の吹出し風の方向を変更することができ、またその吹出し風が直接浴室利用者へ当たらない浴室暖房装置を提供することを目的としている。
【課題を解決するための手段】
【０００７】
本発明の浴室暖房装置は上記目的を達成するために、浴室内の空気を循環させる循環手段と、前記循環手段によって吸込まれた浴室内空気に熱を与える熱供給手段と、前記熱供給手段によって暖められた空気の吹出し方向を決める風向板と、前記風向板を稼動させる稼動手段と、人の存在を検知する人検知手段とを備えた浴室暖房装置であって、前記人検出手段の検知結果をもとに、前記稼動手段により前記風向板を稼動させることにより、前記循環手段から出る吹出し風の方向を制御するものである。
【０００８】
この手段により、浴室に人が居るかどうかを検出することができ、また自動で浴室暖房装置の吹出し風の方向を被検知人に直接当たらないように変更することができる浴室暖房装置が得られる。
【０００９】
本発明の浴室暖房装置は上記目的を達成するために、暖房運転中に前記人検出手段が人を検知すると、前記稼動手段により前記風向板を稼動させることにより、前記循環手段から出る吹出し風の方向を制御するものである。
【００１０】
この手段により、浴室に人が居るかどうかを検出することができ、また自動で浴室暖房装置の吹出し風の方向を被検知人に直接当たらないように変更することができる浴室暖房装置が得られる。
【００１１】
本発明の浴室暖房装置は上記目的を達成するために、循環手段から出る吹出し風の方向が、被検知人に直接当たらない方向であるものである。
【００１２】
この手段により、浴室に人が居るかどうかを検出することができ、また自動で浴室暖房装置の吹出し風の方向を被検知人に直接当たらないように変更することができる浴室暖房装置が得られる。
【００１３】
本発明の浴室暖房装置は上記目的を達成するために、浴室の天井に設置され、暖房運転中に前記人検出手段が人を検知すると、前記循環手段からでる吹出し風が天井沿いに吹くように、前記稼動手段により前記風向板を稼動させるものである。
【００１４】
この手段により、浴室に人が居るかどうかを検出することができ、また自動で浴室暖房装置の吹出し風の方向を被検知人に直接当たらないように変更することができる浴室暖房装置が得られる。
【００１５】
本発明の浴室暖房装置は上記目的を達成するために、浴室の壁面に設置され、暖房運転中に前記人検出手段が人を検知すると、前記循環手段からでる吹出し風が壁面沿いに吹くように、前記稼動手段により前記風向板を稼動させるものである。
【００１６】
この手段により、浴室に人が居るかどうかを検出することができ、また自動で浴室暖房装置の吹出し風の方向を被検知人に直接当たらないように変更することができる浴室暖房装置が得られる。
【００１７】
本発明の浴室暖房装置は上記目的を達成するために、前記人検知手段は少なくとも二つ以上であり、少なくとも一つ以上の検知結果をもとに、前記循環手段から出る吹出し風の方向を制御するものである。
【００１８】
この手段により、浴室に人が居るかどうかを検出することができ、また自動で浴室暖房装置の吹出し風の方向を被検知人に直接当たらないように変更することができる浴室暖房装置が得られる。
【００１９】
本発明の浴室暖房装置は上記目的を達成するために、前記人検出手段において各検知範囲が重複しないものである。
【００２０】
この手段により、浴室に人が居るかどうかを検出することができ、また自動で浴室暖房装置の吹出し風の方向を被検知人に直接当たらないように変更することができる浴室暖房装置が得られる。
【００２１】
本発明の浴室暖房装置は上記目的を達成するために、前記循環手段からでる吹出し風が、前記人検出手段において人を検知しなかった他の人検知手段の検知範囲へ吹くようにするものである。
【００２２】
この手段により、浴室に人が居るかどうかを検出することができ、また自動で浴室暖房装置の吹出し風の方向を被検知人に直接当たらないように変更することができる浴室暖房装置が得られる。
【００２３】
本発明の浴室暖房装置は上記目的を達成するために、前記人検出手段が人を検知しなくなった後、一定時間経つと、前記循環手段から出る吹出し風の方向を、前記人検知手段が人を検知する直前の状態へ戻すものである。
【００２４】
この手段により、浴室に人が居る時にのみ、自動で浴室暖房装置の吹出し風の方向を被検知人に直接当たらないように変更することができ、人が居なくなると効率良く直前の運転を続けることができる浴室暖房装置が得られる。
【００２５】
本発明の浴室暖房装置は上記目的を達成するために、前記一定時間を使用者が変更できるものである。
【００２６】
この手段により、浴室使用者が短時間浴室を出た場合に、再度浴室に入室した際、浴室暖房装置の吹出し風が直接当たらないようにできる浴室暖房装置が得られる。
【００２７】
本発明の浴室暖房装置は上記目的を達成するために、前記人検知手段に可動部を設け、可動部を動かすことにより、前記人検知手段の検知範囲を使用者が変更することができるようにしたものである。
【００２８】
この手段により、浴室に人が居るかどうかを精度よく検出し、自動で浴室暖房装置の吹出し風の方向を被検知人に直接当たらないように変更することができる浴室暖房装置が得られる。
【００２９】
本発明の浴室暖房装置は上記目的を達成するために、前記循環手段から出る吹出し風の方向の制御を、使用者が停止することが可能であるようにしたものである。
【００３０】
この手段により、通常時は自動で浴室暖房装置の吹出し風の方向を被検知人に直接当たらないように変更でき、使用者が吹出し風を気にしない時は停止することができる浴室暖房装置が得られる。
【００３１】
本発明の浴室暖房装置は上記目的を達成するために、前記停止が一定時間であるようにしたものである。
【００３２】
この手段により、一定時間後は浴室に人が居るかどうかを検出し、自動で浴室暖房装置の吹出し風の方向を被検知人に直接当たらないように変更することができる浴室暖房装置が得られる。
【００３３】
本発明の浴室暖房装置は上記目的を達成するために、前記一定時間を使用者が変更できるようにしたものである。
【００３４】
この手段により、使用者の好みの時間のみ吹出し風の方向制御を停止し、その後には浴室に人が居るかどうかを検出し、自動で浴室暖房装置の吹出し風の方向を被検知人に直接当たらないように変更することができる浴室暖房装置が得られる。
【発明の効果】
【００３５】
本発明によれば、浴室内の空気を循環させる循環手段と、前記循環手段によって吸込まれた浴室内空気に熱を与える熱供給手段と、前記熱供給手段によって暖められた空気の吹出し方向を決める風向板と、前記風向板を稼動させる稼動手段と、人の存在を検知する人検知手段とを備えた浴室暖房装置であって、前記人検出手段の検知結果をもとに、前記稼動手段により前記風向板を稼動させることにより、前記循環手段から出る吹出し風の方向を制御することができ、そして、自動で浴室暖房装置の吹出し風の方向を被検知人に直接当たらないように変更することができるという効果のある浴室暖房装置を提供できる。
【００３６】
また、暖房運転中に前記人検出手段が人を検知すると、前記稼動手段により前記風向板を稼動させることにより、前記循環手段から出る吹出し風の方向を制御することができ、そして、自動で浴室暖房装置の吹出し風の方向を被検知人に直接当たらないように変更することができるという効果のある浴室暖房装置を提供できる。
【００３７】
また、循環手段から出る吹出し風の方向が、被検知人に直接当たらない方向であることにより、自動で浴室暖房装置の吹出し風の方向を被検知人に直接当たらないように変更することができるという効果のある浴室暖房装置を提供できる。
【００３８】
また、浴室の天井に設置され、暖房運転中に前記人検出手段が人を検知すると、前記循環手段からでる吹出し風が天井沿いに吹くように、前記稼動手段により前記風向板を稼動させることにより、自動で浴室暖房装置の吹出し風の方向を被検知人に直接当たらないように変更することができるという効果のある浴室暖房装置を提供できる。
【００３９】
また、浴室の壁面に設置され、暖房運転中に前記人検出手段が人を検知すると、前記循環手段からでる吹出し風が壁面沿いに吹くように、前記稼動手段により前記風向板を稼動させることができ、そして、自動で浴室暖房装置の吹出し風の方向を被検知人に直接当たらないように変更することができるという効果のある浴室暖房装置を提供できる。
【００４０】
また、前記人検知手段は少なくとも二つ以上であり、少なくとも一つ以上の検知結果をもとに、前記循環手段から出る吹出し風の方向を制御することができ、そして、自動で浴室暖房装置の吹出し風の方向を被検知人に直接当たらないように変更することができるという効果のある浴室暖房装置を提供できる。
【００４１】
また、前記人検出手段において各検知範囲が重複しないことにより、浴室に人が居るかどうかを検出することができ、また自動で浴室暖房装置の吹出し風の方向を被検知人に直接当たらないように変更することができるという効果のある浴室暖房装置を提供できる。
【００４２】
また、前記循環手段からでる吹出し風が、前記人検出手段において人を検知しなかった他の人検知手段の検知範囲へ吹くようにすることができ、そして、浴室に人が居るかどうかを検出することができ、また自動で浴室暖房装置の吹出し風の方向を被検知人に直接当たらないように変更することができるという効果のある浴室暖房装置を提供できる。
【００４３】
また、前記人検出手段が人を検知しなくなった後、一定時間経つと、前記循環手段から出る吹出し風の方向を、前記人検知手段が人を検知する直前の状態へ戻すことができ、浴室に人が居る時にのみ、自動で浴室暖房装置の吹出し風の方向を被検知人に直接当たらないように変更することができ、人が居なくなると効率良く直前の運転を続けることができるという効果のある浴室暖房装置を提供できる。
【００４４】
また、前記一定時間を使用者が変更できることにより、浴室使用者が短時間浴室を出た場合に、再度浴室に入室した際、浴室暖房装置の吹出し風が直接当たらないようにできるという効果のある浴室暖房装置を提供できる。
【００４５】
また、前記人検知手段に可動部を設け、可動部を動かすことにより、前記人検知手段の検知範囲を使用者が変更することができ、そして、浴室に人が居るかどうかを精度よく検出し、自動で浴室暖房装置の吹出し風の方向を被検知人に直接当たらないように変更することができるという効果のある浴室暖房装置を提供できる。
【００４６】
また、前記循環手段から出る吹出し風の方向の制御を、使用者が停止することができ、そして、通常時は自動で浴室暖房装置の吹出し風の方向を被検知人に直接当たらないように変更でき、使用者が吹出し風を気にしない時は停止することができるという効果のある浴室暖房装置を提供できる。
【００４７】
また、前記停止が一定時間であるようにしたものであり、一定時間後は浴室に人が居るかどうかを検出し、自動で浴室暖房装置の吹出し風の方向を変更することができるという効果のある浴室暖房装置を提供できる。
【００４８】
また、前記一定時間を使用者が変更できることにより、使用者の好みの時間のみ吹出し風の方向制御を停止し、その後には浴室に人が居るかどうかを検出し、自動で浴室暖房装置の吹出し風の方向を変更することができるという効果のある浴室暖房装置を提供できる。
【発明を実施するための最良の形態】
【００４９】
本発明の請求項１記載の発明は、浴室内の空気を循環させる循環手段と、前記循環手段によって吸込まれた浴室内空気に熱を与える熱供給手段と、前記熱供給手段によって暖められた空気の吹出し方向を決める風向板と、前記風向板を稼動させる稼動手段と、人の存在を検知する人検知手段とを備えた浴室暖房装置であって、前記人検出手段の検知結果をもとに、前記稼動手段により前記風向板を稼動させることにより、前記循環手段から出る吹出し風の方向を制御することができ、自動で浴室暖房装置の吹出し風の方向を被検知人に直接当たらないように変更することができるという作用を有する。
【００５０】
また、暖房運転中に前記人検出手段が人を検知すると、前記稼動手段により前記風向板を稼動させることにより、前記循環手段から出る吹出し風の方向を制御することができ、自動で浴室暖房装置の吹出し風の方向を被検知人に直接当たらないように変更することができるという作用を有する。
【００５１】
また、循環手段から出る吹出し風の方向が、被検知人に直接当たらない方向であることにより、自動で浴室暖房装置の吹出し風の方向を変更することができ、自動で浴室暖房装置の吹出し風の方向を被検知人に直接当たらないように変更することができるという作用を有する。
【００５２】
また、浴室の天井に設置され、暖房運転中に前記人検出手段が人を検知すると、前記循環手段からでる吹出し風が天井沿いに吹くように、前記稼動手段により前記風向板を稼動させることにより、自動で浴室暖房装置の吹出し風の方向を被検知人に直接当たらないように変更することができるという作用を有する。
【００５３】
また、浴室の壁面に設置され、暖房運転中に前記人検出手段が人を検知すると、前記循環手段からでる吹出し風が壁面沿いに吹くように、前記稼動手段により前記風向板を稼動させることができ、自動で浴室暖房装置の吹出し風の方向を被検知人に直接当たらないように変更することができるという作用を有する。
【００５４】
また、前記人検知手段は少なくとも二つ以上であり、少なくとも一つ以上の検知結果をもとに、前記循環手段から出る吹出し風の方向を制御することができ、自動で浴室暖房装置の吹出し風の方向を被検知人に直接当たらないように変更することができるという作用を有する。
【００５５】
また、前記人検出手段において各検知範囲が重複しないことにより、浴室に人が居るかどうかを検出することができ、自動で浴室暖房装置の吹出し風の方向を被検知人に直接当たらないように変更することができるという作用を有する。
【００５６】
また、前記循環手段からでる吹出し風が、前記人検出手段において人を検知しなかった他の人検知手段の検知範囲へ吹くようにすることができ、自動で浴室暖房装置の吹出し風の方向を被検知人に直接当たらない方向へ変更することができるという作用を有する。
【００５７】
また、前記人検出手段が人を検知しなくなった後、一定時間経つと、前記循環手段から出る吹出し風の方向を、前記人検知手段が人を検知する直前の状態へ戻すことができ、浴室に人が居る時にのみ、自動で浴室暖房装置の吹出し風の方向を被検知人に直接当たらないように変更することができ、人が居なくなると効率良く直前の運転を続けることができるという作用を有する。
【００５８】
また、前記一定時間を使用者が変更できることにより、浴室使用者が短時間浴室を出た場合に、再度浴室に入室した際、浴室暖房装置の吹出し風が直接当たらないようにできるという作用を有する。
【００５９】
また、前記人検知手段に可動部を設け、可動部を動かすことにより、前記人検知手段の検知範囲を使用者が変更することができることにより、浴室に人が居るかどうかを精度よく検出し、自動で浴室暖房装置の吹出し風の方向を被検知人に直接当たらないように変更することができるという作用を有する。
【００６０】
また、前記循環手段から出る吹出し風の方向の制御を、使用者が停止することができ、そして、通常時は自動で浴室暖房装置の吹出し風の方向を被検知人に直接当たらないように変更でき、使用者が吹出し風を気にしない時は停止することができるという作用を有する。
【００６１】
また、前記停止が一定時間であるようにしたものであり、一定時間後は浴室に人が居るかどうかを検出し、自動で浴室暖房装置の吹出し風の方向を被検知人に直接当たらないように変更することができるという作用を有する。
【００６２】
また、前記一定時間を使用者が変更できようにしたことにより、使用者の好みの時間のみ吹出し風の方向制御を停止し、その後には浴室に人が居るかどうかを検出し、自動で浴室暖房装置の吹出し風の方向を被検知人に直接当たらないように変更することができるという作用を有する。
【００６３】
以下、本発明の実施の形態について図面を参照しながら説明する。
【００６４】
（実施の形態１）
図１に示すように、浴室暖房装置１は浴室内の空気を循環させる循環手段としての循環ファン２と、前記循環手段によって吸込まれた浴室内空気に熱を与える熱供給手段としてのＰＴＣヒータ３と、前記熱供給手段によって暖められた空気の吹出し方向を決める風向板４と、前記風向板を稼動させる稼動手段としてのモータ好ましくはステッピングモータ５と、人の存在を検知する人検知手段として、例えば焦電型赤外線センサを用いた人感センサ６とを備える。
【００６５】
次に人感センサ６の検知から風向板変更までの流れを、図２を参照しながら説明する。図に示すように人が浴室内へ入り、人感センサ６が検知すると、吹出し風の方向が浴室天井面に沿う指定角度Ａ例えば１０度へ稼動手段としてのステッピングモータ５により風向板の角度を変更する。また、人感センサ６が検知しない場合、現状の風向板の角度を維持する。
【００６６】
上記構成において、人感センサ６の検知により、自動で吹出し風の方向を天井沿いに変更することができる。
【００６７】
なお、実施の形態１では人検知手段として人感センサを用いたが、人感センサに換えて赤外線センサを用いてもよく、その作用効果に差異は生じない。
【００６８】
なお、熱供給手段としてＰＴＣヒータを用いたが、ＰＴＣヒータに換えてハロゲンヒータやシーズヒータ等他のヒータでもよく、その作用効果に差異を生じない。
【００６９】
また、熱供給手段としてＰＴＣヒータを用いたが、温水との熱交換方式によるものであってもよく、その作用効果に差異を生じない。
【００７０】
なお、浴室暖房装置に換気手段が備えられた浴室暖房換気装置であってもよく、その作用効果に差異を生じない。
【００７１】
なお、指定角度Ａは必ずしも１０度でなくてもよく、浴室利用者に直接当たらない角度であればよく、その作用効果に差異を生じない。
【００７２】
なお、浴室の天井設置型の浴室暖房装置を用いたが、浴室の壁設置型の浴室暖房装置であってもよく、その作用効果に差異を生じない。
【００７３】
なお、人感センサ６に可動部を設け、可動部を動かすことにより検知範囲の微調整が可能であり、より使用者の好みに合わせることができる。
【００７４】
（実施の形態２）
実施の形態１と同一部分は同一番号を付し、詳細な説明は省略する。図３に示すように、浴室暖房装置７は浴室内の空気を循環させる循環手段としての循環ファン２と、前記循環手段によって吸込まれた浴室内空気に熱を与える熱供給手段としてのＰＴＣヒータ３と、前記熱供給手段によって暖められた空気の吹出し方向を決める風向板４と、前記風向板を稼動させる稼動手段としてのモータ好ましくはステッピングモータ５と、人の存在を検知する人検知手段としての人感センサ８ａおよび８ｂを備える。
【００７５】
次に人感センサ８ａおよび８ｂはそれぞれの検知範囲を検知範囲９ａおよび９ｂとし、それぞれの検知範囲が重複しないように配する。
【００７６】
次に人感センサ８ａおよび８ｂの検知から風向板変更までの流れを、図４を参照しながら説明する。図に示すように人感センサ８ａおよび８ｂが共に人を検知する場合、指定角度Ａ例えば１０度へ稼動手段としてのステッピングモータ５により風向板の角度を変更する。また、人感センサ８ａおよび８ｂが共に人を検知しない場合、現状の風向板の角度を維持する。また、人感センサ８ａのみ人を検知する場合、人感センサ８ａの検知範囲９ａ側に吹出し風が直接当たらない角度Ｂ例えば１３５度へ風向板の角度を変更する。また、人感センサ８ｂのみ人を検知する場合、人感センサ８ｂの検知範囲９ｂ側に吹出し風が直接当たらない角度Ｃ例えば４５度へ風向板の角度を変更する。
【００７７】
上記構成において、人感センサ８ａおよび８ｂの検知により、自動で吹出し風の方向を天井沿いまたは人に直接あたらない方向に変更することができる。
【００７８】
なお、実施の形態２では検知確認の順番として人感センサ８ａから検知を確認しているが、人感センサ８ｂから検知を確認してもよく、その作用効果に差異を生じない。
【００７９】
なお、人感センサ８ａおよび８ｂの検知から風向板変更までの流れを、図４ではなく図５であってもよく、その作用効果に差異を生じない。
【００８０】
なお、人感センサ６に可動部を設け、可動部を動かすことにより検知範囲の微調整が可能であり、より使用者の好みに合わせることができる。
【００８１】
（実施の形態３）
本実施の形態は実施の形態１の浴室暖房装置１と同じ構成である。実施の形態１と同一部分は同一番号を付し、詳細な説明は省略する。次に人感センサ６の検知から風向板変更までの流れを、図６を参照しながら説明する。図に示すように人が浴室内へ入り、人感センサ６が検知すると、人感センサ６が検知していない時間をカウントするタイマーをリセットし、指定角Ａへ例えは１０度へ稼動手段としてのステッピングモータ５により風向板の角度を変更する。また、人感センサ６が検知しない場合、前記タイマーがスタートしていて、そのカウントがＸ分以上例えば３分であれば直前の角度、例えば暖房運転中であれば暖房運転時の角度、へ戻る。また、前記カウントがＸ分未満であれば、現状の角度を維持する。さらに、人感センサ６が検知しない場合で前記タイマーがスタートしていない場合も現状の角度を維持する。
【００８２】
上記構成において、一時的な人感センサ６の非検知では吹出し風の方向を変更しないが、人感センサ６の検知により、自動で吹出し風の方向を天井沿いに変更することができる。
【００８３】
なお、実施の形態３ではタイマーカウントＸ分を３分としたが、１〜５分であればよく、その作用効果に差異を生じない。
【００８４】
また、浴室暖房装置のリモコン等からタイマーカウント時間を使用者が変更できる構成にしてもよく、より使用者の好みに合わせることができる。
【００８５】
（実施の形態４）
実施の形態１乃至３のいずれかと同一部分は同一番号を付し、詳細な説明は省略する。図７に示すように、浴室暖房装置１０は浴室内の空気を循環させる循環手段としての循環ファン１１と、前記循環手段によって吸込まれた浴室内空気に熱を与える熱供給手段としてのＰＴＣヒータ１２と、前記熱供給手段によって暖められた空気の吹出し方向を決める風向板１３と、前記風向板を稼動させる稼動手段としてのモータ好ましくはステッピングモータ１４と、人の存在を検知する人検知手段としての人感センサ１５例えば焦電型赤外線センサと、浴室暖房装置を使用者が操作するリモコン１６を備える。また、リモコン１６は人感センサ検知制御停止手段としてのスイッチ１７を備えている。
【００８６】
次に人感センサ１５の検知から風向板変更までの流れは、図８を参照しながら説明する。図に示すように人が浴室内へ入り、人感センサ１５が検知すると、吹出し風の方向が浴室壁面に沿う指定角度Ｄ例えば９０度へ稼動手段としてのステッピングモータ１４により風向板の角度を変更する。また、人感センサ１５が検知しない場合、現状の風向板の角度を維持する。さらに、使用者がスイッチ１７より人感センサ検知制御手段を停止した場合、人感センサ検知制御を停止し、人感センサ１５の検知制御が行われる直前の状態に風向板の角度を戻す。
【００８７】
上記構成において、人感センサ１５の検知により、自動で吹出し風の方向を浴室壁面沿いに変更することができる。さらに、任意に人感センサ制御を停止できる。
【００８８】
なお、実施の形態３では人感センサ検知制御停止手段としてスイッチ１７としたが、スイッチ１７の換わりに、リモコン上の他のスイッチを一定時間、例えば２秒間押し続けることにより、スイッチ１７を押したのと同等と判断することができてもよく、その作用効果に差異は生じない。
【００８９】
なお、人感センサ検知制御の停止は一定時間、例えば１０分であってもよく、その作用効果に差異を生じない。
【００９０】
なお、前記一定時間を使用者が変更できてもよく、その作用効果に差異を生じない。
【産業上の利用可能性】
【００９１】
浴室の天井または壁面に設置する浴室暖房装置において、暖房運転を行っている際に使用者が入室しても、入室者を人検出手段により検知し、直接吹出し風が当たらないように風向板の角度を変更することにより、入室者が肌寒く感じるのを軽減させることができる浴室暖房装置に利用できる。
【図面の簡単な説明】
【００９２】
【図１】本発明の実施の形態１の浴室暖房装置の構成図
【図２】同人検知手段の検知から風向板変更までのフローチャート
【図３】本発明の実施の形態２の浴室暖房装置の構成図
【図４】同人検知手段の検知から風向板変更までのフローチャート
【図５】同人検知手段の検知から風向板変更までのフローチャート
【図６】本発明の実施の形態３の人検知手段の検知から風向板変更までのフローチャート
【図７】本発明の実施の形態４の浴室暖房装置の構成図
【図８】同人検知手段の検知から風向板変更までのフローチャート
【図９】従来の浴室暖房装置の構成図
【符号の説明】
【００９３】
１    浴室暖房装置
２    循環ファン
３    ＰＴＣヒータ
４    風向板
５    ステッピングモータ
６    人感センサ
７    浴室暖房装置
８ａ  人感センサ
８ｂ  人感センサ
９ａ  検知範囲
９ｂ  検知範囲
１０  浴室暖房装置
１１  循環ファン
１２  ＰＴＣヒータ
１３  風向板
１４  ステッピングモータ
１５  人感センサ
１６  リモコン
１７  スイッチ
【図１】
2007232297.tif 000003
【図２】
2007232297.tif 000004
【図３】
2007232297.tif 000005
【図４】
2007232297.tif 000006
【図５】
2007232297.tif 000007
【図６】
2007232297.tif 000008
【図７】
2007232297.tif 000009
【図８】
2007232297.tif 000010
【図９】
2007232297.tif 000011